(57)【要約】【課題】防水シートの下に重なるように屋根板の上に敷かれてタッカーなどで屋根板に止められてもタッカーなどの打ち込みにより形成される孔部から雨水や雪解け水が浸入するのを確実に防止できるようにした建物屋根の防水用下地シートを提供する。【解決手段】屋根板１の上に敷かれる防水シート２の裏面に重なる下地シート３であって、ポリエチレン系樹脂を材料として作られており、防水シート２に対する下地シート３の剥離強度が１Ｎ／１５ｍｍ未満の場合、下地シート３の引き裂き強度を１０Ｎ以上とし、防水シート２に対する下地シート３の剥離強度が１Ｎ／１５ｍｍ以上の場合、下地シート３の引き裂き強度を２０Ｎ以上とした。【選択図】図２
2008261188.tif 000002
【特許請求の範囲】
【請求項１】
屋根板の上に敷かれる防水シートの裏面に重なる下地シートであって、ポリエチレン系樹脂を材料として作られており、引き裂き強度を１０Ｎ以上としたことを特徴とする建物屋根の防水用下地シート。
【請求項２】
防水シートに対する下地シートの剥離強度が１Ｎ／１５ｍｍ未満の場合、下地シートの引き裂き強度を１０Ｎ以上としたことを特徴とする請求項１記載の建物屋根の防水用下地シート。
【請求項３】
防水シートに対する下地シートの剥離強度が１Ｎ／１５ｍｍ以上の場合、下地シートの引き裂き強度を２０Ｎ以上としたことを特徴とする請求項１記載の建物屋根の防水用下地シート。
【発明の詳細な説明】
【技術分野】
【０００１】
本発明は、建物の屋根を構成するスレートや瓦などの屋根材の下に敷かれて防水するための防水シートの下に敷かれる建物屋根の防水用下地シートに関するものである。
【背景技術】
【０００２】
従来からスレートや瓦などの屋根材の下に防水のために敷かれる防水シートが知られている。この防水シートとしては例えば特許文献１に開示されているものが知られている。
この特許文献１に開示されている防水シートは樹脂組成物全体の質量を基準（１００質量部）として、ポリオレフィン樹脂を４０〜９５質量％、および、変性ポリオレフィン樹脂を５〜２０質量％含有している樹脂組成物からなる樹脂シートおよび補強シートを有し、補強シートとは反対側の表面に凹凸を有するものである。
【０００３】
そして、この防水シートは木製の屋根板の上に敷かれてタッカーなどで屋根板に止められ、この防水シートの上にスレートや瓦などの屋根材が載せられて屋根を造り上げるようになっている。
【特許文献１】特開２００６−５２５７４号公報
【発明の開示】
【発明が解決しようとする課題】
【０００４】
しかしながら、上記特許文献１に記載の防水シートにあっては、シート自体の剛性が強く、防水シートを屋根板に止めるべく打ち込まれたタッカーなどに対する締め付け力が弱く、タッカーなどの打ち込みにより形成される孔部から雨水や雪解け水の浸入を確実に防止することは不可能であるという問題があった。
【０００５】
本発明の目的は、このような課題を解決するものであり、防水シートの下に重なるように木製の屋根板の上に敷かれてタッカーなどで屋根板に止められてもタッカーなどの打ち込みにより形成される孔部から雨水や雪解け水が浸入するのを確実に防止できるようにした建物屋根の防水用下地シートを提供することにある。
【課題を解決するための手段】
【０００６】
本発明の請求項１に記載の建物屋根の防水用下地シートは、屋根板の上に敷かれる防水シートの裏面に重なる下地シートであって、ポリエチレン系樹脂を材料として作られており、引き裂き強度を１０Ｎ以上としたことを特徴とする。
【０００７】
請求項２に記載の建物屋根の防水用下地シートは、防水シートに対する下地シートの剥離強度が１Ｎ／１５ｍｍ未満の場合、下地シートの引き裂き強度を１０Ｎ以上としたことを特徴とする。
【０００８】
請求項３に記載の建物屋根の防水用下地シートは、防水シートに対する下地シートの剥離強度が１Ｎ／１５ｍｍ以上の場合、下地シートの引き裂き強度を２０Ｎ以上としたことを特徴とする。
【発明の効果】
【０００９】
以上のように、本発明の建物屋根の防水用下地シートは、タッカーなどの打ち込みにより防水シートに形成された打ち込み孔に隙間が生じても下地シートはタッカーに密着することになり、雨水や雪解け水が浸入するのを確実に止めることができる。
【発明を実施するための最良の形態】
【００１０】
以下、本発明の一実施の形態を、図１〜図３を用いて具体的に説明する。
図において、１は建物の屋根の下地となるベニヤ材などの木製の屋根板で、この屋根板１の上にスレートや瓦などの屋根材を載せる前に防水のための防水シート２が屋根板１の上に敷かれる。この防水シート２としては例えば前述の特許文献１に開示されているような合成樹脂製であって、可撓性はあるが、剛性を備えているものが用いられ、この防水シート２を屋根板１の上に敷き詰めるにあたってタッカーなどで止められる際、防水シート２にタッカーなどの打ち込み孔が形成されて、その打ち込み孔より雨水が下の屋根板１に浸透し、雨漏れの原因となる。即ち、この原因ととしては防水シート２の剛性が強く、打ち込まれたタッカーなどに密着しにくく、タッカーなどと打ち込み孔との間に僅かな隙間が形成されるためである。
【００１１】
本実施の形態ではこのような問題を解決するために、防水シート２の裏面に重なる下地シート３を用い、雨水などに対する防水効果を向上させようとするものである。前記下地シート３は直鎖状低密度ポリエチレンなどのポリエチレン系樹脂を材料として作られており、単層もしくは多層構造となっている。そして、防水シート２に対する下地シート３の剥離強度が１Ｎ／１５ｍｍ未満の場合、つまり下地シート３を防水シート２に貼り合わせていないか、下地シート３を防水シート２に極めて小さな剥離強度で貼り合わせる場合の下地シート３の引き裂き強度を１０Ｎ以上とし、また、防水シート２に対する下地シート３の剥離強度が１Ｎ／１５ｍｍ以上の場合、つまり下地シート３を防水シート２にしっかりと貼り合わせる場合の下地シート３の引き裂き強度を２０Ｎ以上として、この引き裂き強度は下地シート３が単層、多層にかかわらず下地シート３の厚みを調整したり、下地シート３を構成するポリエチレン系樹脂として引き裂きにくい材料を選択したりすることなどで確保されるものである。
【００１２】
防水シート２に対し下地シート３を１Ｎ／１５ｍｍ未満の剥離強度で貼り合わせる方法としては温度調節して通常のヒートシールによる方法や易剥離性を有する押し出しラミネートやコールドシール剤などの粘着剤を用いたドライラミネートなどにより行なう方法などが採用され、防水シート２と下地シート３を全面貼り合わせやスポット貼り合わせの何れかが選択されるが、防水シート２に対し下地シート３を１Ｎ／１５ｍｍ以上の剥離強度で貼り合わせる場合は、通常の押し出しラミネートやドライラミネートなどを採用すれば良い。
【００１３】
このように防水シート２に対し下地シート３を貼り合わせておくと、防水シート２に対し下地シート３を貼り合わせていない場合では防水シート２の上に作業する人が載ったときに防水シート２が下地シート３からずれ動いて作業する人が屋根から落ちる惧れがあるのを防止することができる。
【００１４】
以上述べた下地シート３を防水シート２の下に重ねた状態で屋根板１の上に敷き、この２枚重ねの防水シート２と下地シート３を図２に示すように屋根板１にタッカー４で止めるとき、タッカー４の先端が防水シート２、下地シート３から屋根板１に突き刺さった時点では図２において２点鎖線で示すようにタッカー４の針４ａは屋根板１に対しほぼ直角に向き、その後図２実線で示すようにタッカー４の針４ａは内側（または外側）に曲がりながら屋根板１に深く突き刺さるようになる。タッカー４の針４ａが内側に曲がることにより剛性が強く裂け易い防水シート２はタッカー４の針４ａの打ち込み孔５の部分でタッカー４の針４ａの周囲の面との間で隙間が生じることになる。つまり、防水シート２は剛性が強いためにタッカー４の打ち込み始めにより形成された孔の周囲の防水シート２はタッカー４の針４ａの内側に曲がる動作に追随できず、裂け易いことからタッカー４の針４ａが内側に曲がることによって防水シート２に形成される打ち込み孔５は拡がろうとする。しかしながら、防水シート２に対する下地シート３の剥離強度が１Ｎ／１５ｍｍ未満の場合では防水シート２の下側に位置する下地シート３はタッカー４の打ち込みにより針４ａの先端で瞬間的に押されて防水シート２から離され、タッカー４の針４ａが内側に曲がっても下地シート３の引き裂き強度は１０Ｎ以上であるので、タッカー４の針４ａの動きに追随し、裂けることなく打ち込み孔５はタッカー４の針４ａの周囲に密着した状態となり、雨水などの水の浸入を止めることができる。また、防水シート２に対する下地シート３の剥離強度が１Ｎ／１５ｍｍ以上の場合、つまり防水シート２に対し下地シート３を完全接合した場合では、下地シート３の引き裂き強度が２０Ｎ以上であるので、タッカー４の打ち込みにより防水シート２が引き裂かれようとしても防水シート２に完全接合されている下地シート３に防水シート２が追随することになり、下地シート３とともに防水シート２は裂けることなく打ち込み孔５はタッカー４の針４ａの周囲に密着した状態となり、雨水などの水の浸入を止めることができる。
【図面の簡単な説明】
【００１５】
【図１】本発明の一実施の形態において屋根板の上に防水シートを取り付ける状態を示す斜視図である。
【図２】同屋根板の上に防水シートを取り付ける状態を示す拡大断面図である。
【図３】図２のＸ−Ｘ矢視図である。
【符号の説明】
【００１６】
１      屋根板
２      防水シート
３      下地シート
４      タッカー
４ａ    針
５      打ち込み孔
【図１】
2008261188.tif 000003
【図２】
2008261188.tif 000004
【図３】
2008261188.tif 000005